(57)【要約】【課題】映画等の登場人物の画像を他の人物の画像に入れ替えた映像データを生成する。【解決手段】少なくとも１つの映像データを含む映像ライブラリの中から、ユーザの指示に基づき処理対象の映像データを選択する選択部と、登場人物と置換すべき置換先人物の少なくとも顔を含む容姿の画像を記録した容姿画像データを取得する取得部と、映像データに含まれる登場人物の容姿の画像を、容姿画像データに応じた置換先人物の容姿の画像に置換する置換部と、を備える映像編集装置を提供する。【選択図】図１
2014042156.tif 000002
【特許請求の範囲】
【請求項１】
少なくとも１つの映像データを含む映像ライブラリの中から、ユーザの指示に基づき処理対象の映像データを選択する選択部と、
登場人物と置換すべき置換先人物の少なくとも顔を含む容姿の画像を記録した容姿画像データを取得する取得部と、
前記映像データに含まれる登場人物の容姿の画像を、前記容姿画像データに応じた前記置換先人物の容姿の画像に置換する置換部と、
を備える映像編集装置。
【請求項２】
前記置換部は、前記映像データに含まれる予め定められた登場人物の容姿の画像を、前記置換先人物の容姿の画像に置換する
請求項１に記載の映像編集装置。
【請求項３】
前記映像データに含まれる複数の登場人物のうち容姿の画像を置換可能な登場人物を一覧で表示し、容姿の画像を置換する登場人物の指定を、前記一覧上においてユーザから受け付ける指定部を更に備える
請求項１に記載の映像編集装置。
【請求項４】
前記取得部は、複数の前記置換先人物のそれぞれについて、容姿の画像を記録した容姿画像データを取得し、
前記置換部は、前記複数の置換先人物のそれぞれについて、前記映像データに含まれる複数の登場人物のうちユーザにより指定された登場人物の画像を、対応する置換先人物の容姿画像データに応じた容姿の画像に置換する
請求項１に記載の映像編集装置。
【請求項５】
前記取得部は、前記置換先人物の複数の表情及び姿勢の画像を含む容姿画像データを取得し、
前記置換部は、対象の登場人物の表情及び姿勢に応じた前記置換先人物の容姿の画像に置換する
請求項１から４の何れか１項に記載の映像編集装置。
【請求項６】
前記置換部は、
前記映像データに含まれる対象の登場人物の画像に基づき、前記対象の登場人物の表情及び姿勢を判別する判別部と、
前記判別部により判別された前記登場人物の表情及び姿勢に対応する表情及び姿勢となるように、前記容姿画像データに含まれる前記置換先人物の容姿の画像を画像処理する画像処理部と、
前記映像データに含まれる前記対象の登場人物の容姿の画像を、前記画像処理部により画像処理された容姿の画像に置換する置換処理部と、
を有する請求項１から５の何れか１項に記載の映像編集装置。
【請求項７】
前記画像処理部は、前記置換先人物の容姿の画像に対して、ユーザにより指定された画像処理を加える
請求項６に記載の映像編集装置。
【請求項８】
前記取得部は、前記置換先人物の複数の年齢のそれぞれに対応する容姿の画像を記録した容姿画像データを取得し、
前記置換部は、対象の登場人物の年齢に応じた前記置換先人物の容姿の画像に置換する
請求項１から６の何れか１項に記載の映像編集装置。
【請求項９】
前記取得部は、前記映像データに合わせて演技をする前記置換先人物を撮像した動画像を記録した容姿画像データを取得し、
前記置換部は、前記映像データ中の対象の登場人物の容姿の画像を、前記容姿画像データにおける対応するタイミングにおける前記置換先人物の容姿の画像に置換する
請求項１から８の何れか１項に記載の映像編集装置。
【請求項１０】
前記置換部は、前記映像データの一部のシーンにおいて、対象の登場人物の容姿の画像を対応するタイミングにおける前記置換先人物の容姿の画像に置換し、他のシーンにおいて、対象の登場人物の容姿の画像をタイミングに依存しない前記置換先人物の容姿の画像に置換する
請求項９に記載の映像編集装置。
【請求項１１】
前記映像ライブラリに含まれる映像データは、前記登場人物の容姿の画像を前記置換先人物の容姿の画像に置換したことにより出現する前記登場人物により遮蔽されていた背景画像を、置換時において補間するための補間データを含み、
前記置換部は、前記補間データに基づき、前記登場人物により遮蔽されていた背景画像を補間する
請求項１から１０の何れか１項に記載の映像編集装置。
【請求項１２】
前記映像ライブラリは、複数のシーンの映像データを含み、
前記置換部は、前記ユーザの指示に応じて映像ライブラリから選択した各シーンについて前記登場人物の容姿の画像を置換先人物の容姿の画像に置換し、指定された配置で配列する
請求項１から１１の何れか１項に記載の映像編集装置。
【請求項１３】
ネットワーク上の第１のサーバにおいて公開されている前記映像ライブラリから、選択された前記映像データをダウンロードするダウンロード部と、
前記映像データに含まれる登場人物の容姿の画像を前記置換先人物の容姿の画像に置換した前記映像データを、ネットワーク上の第２のサーバにアップロードするアップロード部と、
を更に備える請求項１から１２の何れか１項に記載の映像編集装置。
【請求項１４】
前記映像データに含まれる登場人物の容姿の画像を前記置換先人物の容姿の画像に置換した前記映像データを前記第２のサーバにアップロードする場合、または、前記第１のサーバから前記映像データをダウンロードする場合において、置換を指示したユーザに対する課金処理を実行する課金処理部
を更に備える請求項１３に記載の映像編集装置。
【発明の詳細な説明】
【技術分野】
【０００１】
本発明は、映像編集装置に関する。
【背景技術】
【０００２】
従来より、映画等の映像データをネットワーク上のサーバ等からダウンロードして視聴することができる。
【発明の概要】
【発明が解決しようとする課題】
【０００３】
ところで、従来、映画を撮影した後に、映画内の俳優を他の人物に入れ替えることは困難であった。従って、主演女優に代わって自分自身が映画内に登場する映像データを作成するといった、一般の人の願いをかなえることは困難であった。
【課題を解決するための手段】
【０００４】
本発明の第１の態様においては、少なくとも１つの映像データを含む映像ライブラリの中から、ユーザの指示に基づき処理対象の映像データを選択する選択部と、登場人物と置換すべき置換先人物の少なくとも顔を含む容姿の画像を記録した容姿画像データを取得する取得部と、前記映像データに含まれる登場人物の容姿の画像を、前記容姿画像データに応じた前記置換先人物の容姿の画像に置換する置換部と、を備える映像編集装置を提供する。
【０００５】
なお、上記の発明の概要は、本発明の必要な特徴の全てを列挙したものではない。また、これらの特徴群のサブコンビネーションもまた、発明となりうる。
【図面の簡単な説明】
【０００６】
【図１】本実施形態に係る映像編集装置１０の機能構成を示す。
【図２】本実施形態に係る映像編集装置１０による映像データの登場人物の容姿の画像と置換先人物の容姿の画像との置換処理の一例を示す。
【図３】本実施形態に係る映像編集装置１０の処理フローを示す。
【図４】登場人物の一覧の一例を示す。
【図５】本実施形態に係るネットワークシステム５０の構成を示す。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る映像編集装置１０の機能構成を示す。映像編集装置１０は、映像データ内の登場人物を他の人物に置き換える画像処理を実行し、例えばサーバ又はコンピュータにより実現される。
【０００９】
映像編集装置１０は、選択部２１と、指定部２２と、取得部２３と、置換部２４とを備える。
【００１０】
選択部２１は、少なくとも１つの映像データを含んだ映像ライブラリの中から、ユーザの指示に基づき変換処理の対象となる映像データを選択する。映像ライブラリは、例えばサーバ等に格納されており、映像の改変が法律的に可能な映画、テレビジョンドラマおよびニュース番組等の映像データを含む。
【００１１】
なお、映像データは、撮影後に画像処理により画像が置き換えられることを前提として演じるダミーの俳優を撮像したデータであってもよい。また、映像データは、現実の人物を撮影して作成したものであっても、コンピュータにより作成したアニメーション等であってもよい。
【００１２】
指定部２２は、映像データ内に登場する登場人物のうち、置換対象となる登場人物の指定を、ユーザから受け付ける。取得部２３は、登場人物と置換すべき置換先人物の容姿画像データを取得する。
【００１３】
ここで、容姿画像データは、置換先人物の少なくとも顔を含む容姿の画像を記録したデータである。例えば、容姿画像データは、置換先人物（例えばユーザ自身）を実際に撮影等することにより作成されたデータである。なお、容姿画像データは、顔のみの画像データを含んでもよいし、顔を含む全身の画像データを含んでもよい。
【００１４】
また、容姿画像データは、置換先人物の複数の表情及び姿勢の画像データを含む。容姿画像データは、例えば笑っている顔、泣いている顔、および、平常時の顔等の様々な表情の顔を撮像した画像を含む。更に、容姿画像データは、様々な表情の顔を、例えば正面、右側及び左側等の様々な方向から撮像した画像を含んでもよい。また、容姿画像データは、立っている全身の姿、座っている全身の姿および歩いている全身の姿等の様々な姿勢の画像を含んでいてもよい。
【００１５】
このような容姿画像データは、ユーザにより予め作成される。取得部２３は、一例として、ユーザにより予め作成された容姿画像データを記録媒体等から読み出して取得する。
【００１６】
置換部２４は、例えば、図２に示すように、映像データに含まれる指定された登場人物の容姿の画像を、容姿画像データに応じた置換先人物の容姿の画像に置換する。より具体的には、置換部２４は、判別部３１と、画像処理部３２と、置換処理部３３とを有する。
【００１７】
判別部３１は、映像データに含まれる登場人物の画像を解析して、対象の登場人物の表情及び姿勢を判別する。例えば、判別部３１は、対象の登場人物の表情がどのような表情をしているのか、および、どのような姿勢をしているのかを、画像解析により判別する。
【００１８】
画像処理部３２は、置換先人物の容姿が、判別部３１により判別された登場人物の表情及び姿勢と同一となるように、容姿画像データに含まれる置換先人物の容姿の画像を画像処理する。画像処理部３２は、一例として、容姿画像データの中から、判別部３１により判別された表情及び姿勢に近似する画像を選択する。そして、画像処理部３２は、選択した置換先人物の容姿の画像を、判別部３１により判別された表情及び姿勢に近づけるように補正する。
【００１９】
置換処理部３３は、映像データに含まれる対象の登場人物の容姿の画像を、画像処理部３２により画像処理された置換先人物の容姿の画像に置換する。例えば、置換処理部３３は、映像データの中から対象の登場人物の画像を削除して、映像データの中に画像処理された後の置換先人物の容姿の画像を挿入する。
【００２０】
そして、置換部２４は、登場人物の容姿の画像を置換先人物の容姿の画像に置換した後の映像データを、例えば外部のサーバまたは記録媒体に保存させる。
【００２１】
なお、更に、置換部２４は、映像データ中における登場人物の音声を、置換先人物の音声に置き換えてもよい。この場合、例えば、置換部２４は、人物の音声をソフトウェア処理で生成する音声生成装置により、登場人物の発話の内容に一致させた置換先人物の音声の音声データを生成して、登場人物の音声データと置き換える。また、置換部２４は、登場人物の音声に合わせて発話した置換先人物の音声を録音した音声データを、登場人物の音声データと置き換えてもよい。
【００２２】
図３は、本実施形態に係る映像編集装置１０の処理フローを示す。ユーザにより変換開始が指示されると、映像編集装置１０は、ステップＳ１１から処理を開始する。
【００２３】
まず、ステップＳ１１において、選択部２１は、ユーザの指示に基づき映像ライブラリの中から処理対象の映像データを選択する。選択部２１は、一例として、選択可能な映像データのタイトルの一覧をコンピュータ端末上に表示して、その一覧の中からユーザに処理対象の映像データを指定させる。
【００２４】
続いて、ステップＳ１２において、指定部２２は、選択した映像データに登場する少なくとも一人の登場人物のうち、置換対象となる登場人物の指定をユーザから受け付ける。指定部２２は、一例として、ユーザのコンピュータ端末に登場人物名の一覧を表示して、その一覧の中からユーザに置換対象となる登場人物を指定させる。
【００２５】
続いて、ステップＳ１３において、取得部２３は、置換先人物の容姿画像データを取得する。取得部２３は、一例として、ユーザのコンピュータ端末からネットワーク等を介して容姿画像データを取得する。
【００２６】
続いて、置換部２４は、１フレーム毎に、ステップＳ１５からステップＳ１７の処理を繰り返す（ステップＳ１４とステップＳ１８との間のループ処理）。
【００２７】
ループ内では、まず、ステップＳ１５において、置換部２４の判別部３１は、対象の登場人物の表情及び姿勢を判別する。
【００２８】
判別部３１は、一例として、当該フレーム内の対象の登場人物の顔の部分画像を抽出して、対象の登場人物がどのような表情をしているか（笑っている、泣いている又は平常時の顔をしているか等）を画像解析する。また、判別部３１は、一例として、当該フレーム内の対象の登場人物の全身の部分画像を抽出して、対象の登場人物が、どのような方向を向いてどのような姿勢をしているか（立っている、座っている又は座っている等）を解析する。
【００２９】
続いて、ステップＳ１６において、置換部２４の画像処理部３２は、置換先人物の容姿の画像を画像処理により修正する。具体的には、画像処理部３２は、容姿画像データの中から、ステップＳ１５で判別された登場人物の表情及び姿勢に近似する表情及び姿勢の画像を選択する。そして、画像処理部３２は、選択した置換先人物の容姿の画像を、判別部３１により判別された表情及び姿勢に近づけるように画像処理により修正する。
【００３０】
なお、容姿画像データの中に含まれる置換先人物の表情及び姿勢が、ステップＳ１５で判別した登場人物の表情及び姿勢とほぼ同一であれば、画像処理部３２は、修正処理をしなくてもよい。
【００３１】
更に、ステップＳ１６において、画像処理部３２は、置換先人物の容姿の画像に対して、ユーザにより指定された特別の画像処理を更に実行してもよい。例えば、画像処理部３２は、ユーザの顔の肌の色を白くしたり黒くしたり、眉又はまつ毛の形状を変更したり、目、鼻又は口等の形状を変更したりする特殊効果を加えてもよい。
【００３２】
また、更に、ステップＳ１６において、画像処理部３２は、置換先人物の容姿の画像を、現実の撮像画像からアニメーション風の画像に変換してもよい。例えば、画像処理部３２は、現実の撮像画像を本数の比較的に少ない線で表した線画に置き換えたり、容姿内を領域に分割した各領域を類似色の単色で表示したりすることにより、アニメーション風の画像に変換する。
【００３３】
続いて、ステップＳ１７において、置換処理部３３は、映像データに含まれる対象の登場人物の容姿の画像を、ステップＳ１６で修正された置換先人物の容姿の画像に置換する。
【００３４】
例えば、置換処理部３３は、置換先人物の容姿の大きさ及び角度が対象の登場人物の容姿の大きさ及び角度と同一となるように、置換先人物の容姿の画像を拡大縮小及び回転させる。さらに、置換処理部３３は、フレーム内における置換先人物の容姿の部分画像を削除して、フレーム内における置換先人物の容姿の位置に、置換先人物の容姿の画像を挿入する。これにより、置換処理部３３は、対象の登場人物の容姿の画像を、置換先人物の容姿の画像に置換することができる。
【００３５】
なお、映像ライブラリに含まれる映像データは、補間データとして、登場人物により遮蔽されている背景画像を含んでいてもよい。この場合、置換処理部３３は、元々は登場人物により隠れていた背景が置換処理により出現してしまった場合には、補間データに基づき背景を補間する。これにより、置換処理部３３は、対象の登場人物の容姿と置換先人物の容姿との間に形状又は大きさに誤差がある場合であっても、背景の空白を無くすことができる。
【００３６】
続いて、ステップＳ１８において、置換部２４は、映像データに含まれる全てのフレームに対して処理を終了したか否かを判断し、終了していなければ次のフレームについてステップＳ１５からステップＳ１７の処理を繰り返す。置換部２４は、全てのフレームに対して処理を終了した場合には、当該フローを終了する。
【００３７】
以上の処理を実行することにより、映像編集装置１０は、映画等の登場人物の画像を、他の人物（例えばユーザ自身）の画像に入れ替えた映像データを生成することができる。これにより、映像編集装置１０は、主演女優に代わって自分自身が映画内に登場する映像データを作成したい、というような一般の人の願いをかなえることができる。
【００３８】
なお、一つの映像データ内に、同一の登場人物が異なる年齢設定で登場する場合がある。このような場合、取得部２３は、置換先人物の複数の年齢のそれぞれに対応する容姿の画像を記録した容姿画像データを取得する。例えば、ユーザは、例えば、過去において撮像した画像等を利用することにより、複数の年齢のそれぞれに対応する容姿の画像を記録した容姿画像データを作成することができる。
【００３９】
そして、置換部２４は、映像データのシーン毎に対象の登場人物の年齢を判別して、対象の登場人物の年齢に応じた置換先人物の容姿の画像に置換する。これにより、映像編集装置１０は、対象の登場人物が複数の年齢で登場する場合であっても、それぞれの年齢に対応する置換先人物の容姿の画像に置き換えた映像データを生成することができる。
【００４０】
また、容姿画像データには、映像データの登場人物の演技に合わせて演技をする人物（例えばユーザ）を撮像した動画像が記録されていてもよい。この場合、置換部２４は、映像データ中の対象の登場人物の容姿の画像を、容姿画像データにおける対応するタイミングにおける置換先人物の容姿の画像に置換する。これにより、映像編集装置１０は、違和感無く人物が置き換えられた映像データを生成することができる。
【００４１】
また、この場合において、置換部２４は、映像データの一部のシーンにおいて、対象の登場人物の容姿の画像を対応するタイミングにおける置換先人物の容姿の画像に置換し、他のシーンにおいて、対象の登場人物の容姿の画像をタイミングに依存しない置換先人物の容姿の画像に置換してもよい。これにより、映像編集装置１０は、全てのシーンに対応して演技した動画像が存在しなくても、置換えをすることができる。
【００４２】
また、映像編集装置１０は、ユーザの指定に応じて、映像データの各シーンを任意に組み立てて、ユーザ固有のストーリーの映像データを生成してもよい。この場合、置換部２４は、ユーザの指示に応じて映像ライブラリから選択した各シーンについて、登場人物の容姿の画像を置換先人物の容姿の画像に置換し、ユーザにより指定された配置で配列する。これにより、映像編集装置１０は、ユーザの希望するストーリーの映像データを生成することができる。
【００４３】
図４は、登場人物の一覧の一例を示す。ユーザが対象の登場人物を指定する場合、指定部２２は、ユーザのコンピュータ端末に、図４に示されるような、映像データに含まれる複数の登場人物のうち容姿の画像を置換可能な登場人物を一覧で表示してもよい。指定部２２は、一例として、例えば人物名、役柄及び顔画像を含む一覧を表示する。そして、指定部２２は、対象の登場人物の指定を、一覧上においてユーザから受け付ける。
【００４４】
指定部２２は、一覧上において対象の登場人物が指定されると、対象の登場人物の顔の画像と、置換先人物の顔の画像とを入れ替えて表示する。これにより、指定部２２は、対象の登場人物の容姿を置換先人物の容姿に置き換えることを明確に提示することができる。また、この場合、指定部２２は、置換先人物の顔の画像を一覧における登場人物の顔画像の位置にドラッグアンドドロップすることにより指定を受け付けてもよい。
【００４５】
また、指定部２２は、映像データに含まれる登場人物の容姿の画像と置換先人物の容姿の画像との間の一致度を算出して、例えば一覧上においてユーザに提供してもよい。具体的には、指定部２２は、登場人物の顔と置換先人物の顔とがどの程度似ているのかを数値で算出して、一致度としてユーザに表示したり、登場人物の体型と置換先人物の体型とがどの程度似ているのかを数値で算出して、一致度としてユーザに表示したりする。
【００４６】
また、指定部２２は、一覧に代えて、映像データの再生中において、ユーザが登場人物の顔等をポイントしたことに応じて登場人物の指定を受け付けてもよい。これにより、指定部２２は、映像データを見ながら、対象の登場人物を指定することができる。
【００４７】
また、映像編集装置１０は、複数の登場人物の容姿の画像を、それぞれ異なる置換先人物の容姿の画像に置き換えてもよい。この場合、取得部２３は、複数の置換先人物のそれぞれについて、容姿の画像を記録した容姿画像データを取得する。
【００４８】
そして、置換部２４は、複数の置換先人物のそれぞれについて、映像データに含まれる複数の登場人物のうちユーザにより指定された登場人物の画像を、対応する置換先人物の容姿画像データに応じた容姿の画像に置換する。即ち、この場合には、置換部２４は、複数の置換先人物のそれぞれについて、図３に示したステップＳ１４〜ステップＳ１７の処理を並列に実行する。これにより、映像編集装置１０は、複数の登場人物の容姿の画像を、それぞれ異なる置換先人物の容姿の画像に置き換えることができる。
【００４９】
図５は、本実施形態に係るネットワークシステム５０の構成を示す。ネットワークシステム５０は、第１のサーバ６１と、第２のサーバ６２と、映像編集サーバ６３と、ユーザ端末６４とを備える。第１のサーバ６１、第２のサーバ６２、映像編集サーバ６３およびユーザ端末６４は、互いにインターネット等のネットワーク５２を介して接続される。
【００５０】
第１のサーバ６１は、複数の映像データを含む映像ライブラリを記憶する。第１のサーバ６１は、ネットワーク上の他のサーバ等からダウンロード可能なように、映像ライブラリに含まれる映像データを公開している。
【００５１】
第２のサーバ６２は、登場人物の容姿が他の人物の容姿に置き換えられた後の映像データ（置換後映像データ）を記憶する。第２のサーバ６２は、ユーザ等の設定に応じて、各置換後映像データを不特定のユーザに公開したり、特定者のみに公開したりする。
【００５２】
映像編集サーバ６３は、映像処理装置７０と、ダウンロード部７１と、アップロード部７２と、課金処理部７３とを有する。映像処理装置７０は、図１〜図４を参照して説明した映像編集装置１０と同一の機能及び構成を有するので、以下相違点を除き説明を省略する。
【００５３】
ダウンロード部７１は、第１のサーバ６１において公開されている映像ライブラリから、映像処理装置７０によって選択された映像データをダウンロードする。そして、ダウンロード部７１は、ダウンロードした映像データを映像処理装置７０に供給する。
【００５４】
アップロード部７２は、映像処理装置７０により生成された映像データ（即ち、置換後映像データ）を第２のサーバ６２にアップロードする。
【００５５】
課金処理部７３は、映像処理装置７０を利用したユーザに対して課金処理を実行する。
【００５６】
課金処理部７３は、一例として、映像データに含まれる登場人物の容姿の画像を置換先人物の容姿の画像に置換した映像データを、第２のサーバ６２にアップロードする場合において、置換を指示したユーザに対して使用料金の課金処理を実行する。これに代えて、課金処理部７３は、一例として、第１のサーバ６１から映像データをダウンロードする場合において、置換を指示したユーザに対する課金処理を実行してもよい。
【００５７】
ユーザ端末６４は、ユーザにより用いられるコンピュータ端末である。ユーザ端末６４は、ネットワーク５２を介して映像編集サーバ６３の映像処理装置７０に接続される。ユーザ端末６４は、容姿画像データを記憶している。ユーザ端末６４は、映像処理装置７０の利用時において、容姿画像データをネットワーク５２を介して映像処理装置７０へと送信するとともに、ユーザの操作情報を映像処理装置７０へ送信する。
【００５８】
以上のようなネットワークシステム５０によれば、ネットワーク５２上のサーバにより、映画等の登場人物の画像を他の人物（例えばユーザ自身）の画像に入れ替えた映像データを生成するサービスを提供することができる。また、ネットワークシステム５０は、このようなサービスを提供する場合において、ユーザに対して課金処理を実行することができる。
【００５９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６１】
１０  映像編集装置、２１  選択部、２２  指定部、２３  取得部、２４  置換部、３１  判別部、３２  画像処理部、３３  置換処理部、５０  ネットワークシステム、５２  ネットワーク、６１  第１のサーバ、６２  第２のサーバ、６３  映像編集サーバ、６４  ユーザ端末、７０  映像処理装置、７１  ダウンロード部、７２  アップロード部、７３  課金処理部
【図１】
2014042156.tif 000003
【図２】
2014042156.tif 000004
【図３】
2014042156.tif 000005
【図４】
2014042156.tif 000006
【図５】
2014042156.tif 000007